(57)【特許請求の範囲】
【請求項１】
燃料ガスと酸素含有ガスとから発電を行う電池スタック（１）およびこの電池スタック（１）からの残余の燃料ガスと酸素含有ガスとを接触させて燃焼させる燃焼部とを内包する電池モジュールの周囲に、電池モジュールからの損失熱を回収する熱回収通路（１１）を有する固体電解質型燃料電池において、
前記電池スタック（１）への、燃料ガス、酸素含有ガスの一方である供給流体を分岐し、かつ分岐される供給流体の流量を調整する分岐流量調整手段（１２）と、分岐され、かつ流量が調整された供給流体を前記熱回収通路（１１）に供給する分岐流路と
を含み、
前記熱回収通路（１１）は、水を添加した前記燃料ガスを気化させる気化器（７）をも包囲するものである固体電解質型燃料電池。
【請求項２】
燃料ガスと酸素含有ガスとから発電を行う電池スタック（１）およびこの電池スタック（１）からの残余の燃料ガスと酸素含有ガスとを接触させて燃焼させる燃焼部とを内包する電池モジュールの周囲に、電池モジュールからの損失熱を回収する熱回収通路（１１）を有する固体電解質型燃料電池において、
前記電池スタック（１）への、燃料ガス、酸素含有ガスの一方である供給流体を分岐し、かつ分岐される供給流体の流量を調整する分岐流量調整手段（１２）と、分岐され、かつ流量が調整された供給流体を前記熱回収通路（１１）に供給する分岐流路と
を含み、
前記電池モジュールは、水を添加した前記燃料ガスを気化させる気化器（７）をも収納するものである固体電解質型燃料電池。
【請求項３】
前記分岐流量調整手段（１２）は、固体電解質型燃料電池が部分負荷運転または待機運転を行っていることに応答して、前記分岐される供給流体の流量の全流量に対する割合を増加させるものである請求項１または請求項２に記載の固体電解質型燃料電池。
【請求項４】
前記熱回収通路（１１）は、前記電池モジュール（１）を基準として複数層に形成されている請求項１から請求項３のいずれかに記載の固体電解質型燃料電池。
【発明の詳細な説明】
【技術分野】
【０００１】
この発明は、固体電解質型燃料電池スタックを収納容器内に収納してなる固体電解質型燃料電池に関する。
【背景技術】
【０００２】
従来から、燃料ガスと酸素含有ガスとから発電を行う電池スタックおよびこの電池スタックからの残余の燃料ガスと酸素含有ガスとを接触させて燃焼させる燃焼部とを内包する電池モジュールの周囲に電池モジュールからの損失熱を回収する熱回収通路を設けてなる燃料電池が提案されている（特許文献１、特許文献２参照）。
特許文献１に記載された固体電解質型燃料電池は、燃料電池スタックを包囲する高温断熱材と低温断熱材との間に流体流路を形成し、この流体流路を通して燃料電池スタックの空気投入口に空気を供給するとともに、燃料供給源から燃料を予熱器で予熱した後に燃料電池スタックの燃料投入口に供給するよう構成されている。
【０００３】
特許文献２に記載された燃料電池は、枠体と断熱材との間に配管を有する収納容器の内部に、複数の燃料電池セルからなるセルスタックを収納し、燃料ガス供給管を通して燃料ガスを供給し、酸素含有ガス管、および前記配管を通して酸素含有ガスを供給するよう構成されている。
【特許文献１】特開２００３−１５１６１０号公報
【特許文献２】特開２００３−２４９２５６号公報
【発明の開示】
【発明が解決しようとする課題】
【０００４】
固体電解質型燃料電池は、約７００〜１０００℃の高温で作動するのであるから、発電を行う電池スタックの温度を適正に維持し、熱の損失を防ぎ高効率で発電を行い、更に外面を許容される温度以下に保つために、電池スタックを内包する電池モジュールを厚い断熱材で覆う必要があり、周囲の断熱層も含めた電池モジュールのコンパクト化が妨げられていた。
【０００５】
また、電池モジュールの高効率化のため電池モジュール廻りの断熱層に空気通路を設け、空気通路を流れる空気で電池モジュールからの損失熱を回収する技術は知られている（特許文献１、特許文献２参照）。しかし、特許文献１、特許文献２の構成では電池スタックに供給する全ての空気を空気通路を通して流すため、低動力で空気を供給するためには空気流路の断面積を大きくする必要があり、また、空気の流量が過大であるために電池モジュールを冷却しすぎる恐れがあるので熱回収用の空気流路と電池モジュールとの間の断熱層をある程度厚くせざるを得ず、熱回収用の空気通路を含めた断熱層の厚さも厚くなっていた。
【０００６】
また、部分負荷運転においては、発電量の減少に伴い供給空気量も減少させることになり、熱回収用の空気通路を流れる空気の流量は減少する。しかしながら、電池スタックの温度は部分負荷運転時においても定格運転時と同じ温度に保つ必要があるため損失熱量は発電量、供給流量に対し相対的に大きくなる。そのため、適正な熱回収を行い電池モジュールを適正な温度に維持するためには部分負荷時には、熱回収用の空気流路を流す空気の流量の全流量に対する割合を、定格運転時に対し相対的に増やす必要がある。微小な発電、または燃焼で電池スタックの温度を維持する待機運転（ホットスタンバイ）の場合も同様である。しかし、このような要請に応えるように熱回収用の空気流路を流す空気の流量を全流量に対して変化させることはできない。
【０００７】
この発明は上記の問題点に鑑みてなされたものであり、熱回収用の流路に流す流体の流量を全流量に対して適正に制御することができる固体電解質型燃料電池を提供することを目的としている。
【課題を解決するための手段】
【０００８】
この発明の固体電解質型燃料電池は、燃料ガスと酸素含有ガスとから発電を行う電池スタックおよびこの電池スタックからの残余の燃料ガスと酸素含有ガスとを接触させて燃焼させる燃焼部とを内包する電池モジュールの周囲に、電池モジュールからの損失熱を回収する熱回収通路を有する固体電解質型燃料電池において、前記電池スタックへの、燃料ガス、酸素含有ガスの一方である供給流体を分岐し、かつ分岐される供給流体の流量を調整する分岐流量調整手段と、分岐され、かつ流量が調整された供給流体を前記熱回収通路に供給する分岐流路とを含み、前記熱回収通路は、水を添加した前記燃料ガスを気化させる気化器をも包囲するものである。
【０００９】
したがって、熱回収通路に供給される供給流体の流量を全流量よりも少なくできることに起因して、熱回収通路を薄くできるとともに、断熱層の厚みを小さくすることができ、ひいては、全体として大幅なコンパクト化を達成することができる。また、分岐流量を調整することができるので、部分負荷運転時や待機運転時においても適正な熱回収が可能となり、良好な高効率運転を達成することができる。
また、他の発明の固体電解質型燃料電池は、燃料ガスと酸素含有ガスとから発電を行う電池スタックおよびこの電池スタックからの残余の燃料ガスと酸素含有ガスとを接触させて燃焼させる燃焼部とを内包する電池モジュールの周囲に、電池モジュールからの損失熱を回収する熱回収通路を有する固体電解質型燃料電池において、前記電池スタックへの、燃料ガス、酸素含有ガスの一方である供給流体を分岐し、かつ分岐される供給流体の流量を調整する分岐流量調整手段と、分岐され、かつ流量が調整された供給流体を前記熱回収通路に供給する分岐流路とを含み、前記電池モジュールは、水を添加した前記燃料ガスを気化させる気化器をも収納するものである。
【００１０】
また、前記分岐流量調整手段は、固体電解質型燃料電池が部分負荷運転または待機運転を行っていることに応答して、前記分岐される供給流体の流量の全流量に対する割合を増加させるものであることが好ましい。
【００１１】
また、前記熱回収通路は、前記電池モジュールを基準として複数層に形成されていることが好ましい。
【発明の効果】
【００１６】
この発明は、固体電解質型燃料電池を全体として大幅に小型化することができ、しかも、運転状態に拘らず良好な高効率運転を達成することができるという特有の効果を奏する。
【発明を実施するための最良の形態】
【００１７】
以下、添付図面を参照して、この発明の固体電解質型燃料電池の実施形態を詳細に説明する。
【００１８】
図１はこの発明の固体電解質型燃料電池の一実施形態を示す概略図である。
この固体電解質型燃料電池は、燃料電池スタック１と、この燃料電池スタック１を収納する収納容器２と、この収納容器２を包囲する断熱材部材３と、燃料ガス供給源４と、燃料ガスを受け取って脱硫処理を行う脱硫器５と、脱硫器５からの出力（脱硫燃料ガス）に水を添加する水添加部６と、前記燃料電池スタック１からの燃焼ガスとの間で熱交換を行って、水が添加された脱硫燃料ガスを気化させる気化器７と、気化された水添加脱硫燃料ガスを改質して前記燃料電池スタック１に供給する改質器８と、空気供給源９と、気化器７から出力されるガスとの間で熱交換を行って空気供給源９からの空気を昇温させて前記高温容器２を通して前記燃料電池スタック１に供給する熱交換器１０と、前記断熱材部材３に形成され、かつ前記燃料電池スタック１の空気供給部に連通された熱回収通路１１と、前記空気供給源９と熱交換器１０との間で空気を分岐させ、分岐された空気を熱回収通路１１に導くとともに、分岐される空気の量を調整する分岐流量調整部１２とを有している。
【００１９】
また、燃料電池スタック１を支持する機構は従来公知であるから図示を省略してある。
上記の構成の固体電解質型燃料電池は、燃料ガスと空気との供給を受け、燃料ガスを燃焼させるとともに、排熱を回収することによって約７００〜１，０００℃の動作温度を維持して燃料ガスの燃焼を継続させる点は従来公知であるから、ここでは詳細な説明を省略する。
【００２０】
この実施形態では、断熱材部材３に設けられた熱回収通路１１を通る空気の量を、発電に対する全必要量よりも少なくするので、熱回収通路１１を薄くして断面積を減少させることができ、しかも断熱層の厚みを大幅に低減して、全体としての大幅な小型化を達成することができる。
【００２１】
また、分岐流量調整部１２によって、分岐される空気の流量を調整できるので、定格運転時、部分負荷運転時、待機運転時などのような運転状態に応じて分岐される空気の流量を適正量にすることができ、運転状態に拘らず良好な高効率運転を実現することができる。
【００２２】
図１においては、熱回収通路１１を図中上下方向（例えば、円筒状の断熱材部材３の中心軸と平行な方向）に延びるものとして示しているが、図２に示すように、リング状（例えば、円筒状の断熱材部材３の中心軸を中心とするリング状）に延びるものであってもよい。この場合において、図３に示すように、同一平面内において互いに同心に折り返し状であってもよく、図４に示すように、同一平面内において互いに同心であって同一方向に空気を導くよう直列接続された形状であってもよく、図５に示すように、同一平面内において単一のリング状となるよう形成された形状であってもよい。ただし、図３から図５の何れの場合にも、図２における異なる平面の熱回収通路１１との間で所望の接続通路による接続が達成されている。
【００２３】
図６はこの発明の固体電解質型燃料電池の他の実施形態を示す概略図である。
この固体電解質型燃料電池が図１の固体電解質型燃料電池と異なる点は、分岐流量調整部１２を空気供給源９と熱交換器１０との間に設ける代わりに、脱硫器５と水添加部６との間に設けた点のみである。
【００２４】
この実施形態においては、脱硫燃料ガスを熱回収通路１１に導いて排熱を回収することができ、空気により排熱を回収する図１の実施形態と同様の作用を達成することができる。
【００２５】
図７はこの発明の固体電解質型燃料電池のさらに他の実施形態を示す概略図である。
この固体電解質型燃料電池が図１の固体電解質型燃料電池と異なる点は、水を気化器７で気化させた後に脱硫燃料ガスに添加する点のみである。
この実施形態においては、水を気化させてから脱硫燃料ガスに添加させるのであるが、最終的には、図１の実施形態と同じ状態で、水が添加された脱硫燃料ガスを燃料電池スタック１に供給することができ、ひいては、図１の実施形態と同様の作用を達成することができる。
【００２６】
図８はこの発明の固体電解質型燃料電池のさらに他の実施形態を示す概略図である。
この固体電解質型燃料電池が図１の固体電解質型燃料電池と異なる点は、気化器７、および熱交換器１０をもそれぞれ個別に包囲するように断熱材部材３を形成し、気化器７、および熱交換器１０をも包囲するように熱回収通路１１を形成した点のみである。
この実施形態においては、熱回収効率を一層高めることができるほか、図１の実施形態と同様の作用を達成することができる。ただし、図６、図７の実施形態に対して図８の実施形態と同様の変更を施すことが可能である。
【００２７】
図９はこの発明の固体電解質型燃料電池のさらに他の実施形態を示す概略図である。
この固体電解質型燃料電池が図１の固体電解質型燃料電池と異なる点は、燃料電池スタック１を収容する空間に気化器７、および熱交換器１０をも収容した点のみである。
この実施形態においても、熱回収効率を一層高めることができるほか、図１の実施形態と同様の作用を達成することができる。ただし、図６、図７の実施形態に対して図９の実施形態と同様の変更を施すことが可能である。
【００２８】
図１０はこの発明の固体電解質型燃料電池のさらに他の実施形態を示す概略図である。
この固体電解質型燃料電池が図１の固体電解質型燃料電池と異なる点は、分岐流量調整部１２に代えて、空気を熱交換器１０に導く第１の流路１３、および空気を熱回収通路１１に導く第２の流路１４を設け、各流路１３、１４に流量調整部１５、１６を設けた点のみである。
【００２９】
この実施形態では、断熱材部材３に設けられた熱回収通路１１を通る空気の量を、発電に対する全必要量よりも少なくするので、熱回収通路１１を薄くして断面積を減少させることができ、しかも断熱層の厚みを大幅に低減して、全体としての大幅な小型化を達成することができる。
【００３０】
また、各流路１３、１４に設けた流量調整部１５、１６によって、各々の空気の流量を調整できるので、定格運転時、部分負荷運転時、待機運転時などのような運転状態に応じて分岐される空気の流量を適正量にすることができ、運転状態に拘らず良好な高効率運転を実現することができる。
【００３１】
また、以上の各実施形態において、完全内部改質型の構成を採用することによって、改質器８を省略することが可能である。
【図面の簡単な説明】
【００３２】
【図１】この発明の固体電解質型燃料電池の一実施形態を示す概略図である。
【図２】熱回収通路の構成の一例を示す一部切欠概略斜視図である。
【図３】熱回収通路の構成の一例を示す横断面図である。
【図４】熱回収通路の構成の他の例を示す横断面図である。
【図５】熱回収通路の構成のさらに他の例を示す横断面図である。
【図６】この発明の固体電解質型燃料電池の他の実施形態を示す概略図である。
【図７】この発明の固体電解質型燃料電池のさらに他の実施形態を示す概略図である。
【図８】この発明の固体電解質型燃料電池のさらに他の実施形態を示す概略図である。
【図９】この発明の固体電解質型燃料電池のさらに他の実施形態を示す概略図である。
【図１０】この発明の固体電解質型燃料電池のさらに他の実施形態を示す概略図である。
【符号の説明】
【００３３】
１  燃料電池スタック
３  断熱材部材
１０  熱交換器
１１  熱回収通路
１２  分岐流量調整部
【図１】
0004696461.tif 000002
【図２】
0004696461.tif 000003
【図３】
0004696461.tif 000004
【図４】
0004696461.tif 000005
【図５】
0004696461.tif 000006
【図６】
0004696461.tif 000007
【図７】
0004696461.tif 000008
【図８】
0004696461.tif 000009
【図９】
0004696461.tif 000010
【図１０】
0004696461.tif 000011